(57)【要約】【課題】設置された環境下での最適な無線接続チャネルを自動的に学習し、次回以降の無線接続を速やかに実行することができるキーシステム専用のデジタル多機能コードレス電話機を提供する。【解決手段】キーシステムの上位装置１は内線のコードレス電話機の親機と子機に対して無線接続開始チャネルを指定する。内線（１）のコードレス電話機の親機２と子機３はそれぞれＥＥＰＲＯＭ２４とＥＥＰＲＯＭ３４から無線開始接続チャネルの初期値及びポインタを呼び出し、初期値とポインタの値を加算して算出したチャネルで無線接続を開始する。無線モジュールが電波干渉を検出した場合ポインタを＋１加算し、加算結果をＥＥＰＲＯＭに記憶する。その後再度無線接続を行う。【選択図】  図１
2005026900.tif 000002
【特許請求の範囲】
【請求項１】
上位装置と、前記上位装置と内線接続された親機及び子機とを複数有するキーシステム専用のデジタル多機能コードレス電話機であって、前記親機及び子機はそれぞれ内部に無線接続開始チャネルの初期値と前記初期値に対する相対値であるポインタとを記憶するＥＥＰＲＯＭと、無線接続時に前記初期値及び前記ポインタを読み出す読み出し手段と、前記初期値及び前記ポインタを加算する加算手段と、前記加算手段により得られた値を無線チャネルとして無線出力を行う無線出力手段と、無線出力時に電波干渉を検出した際に前記ポインタを１加算して新たなポインタとして前記ＥＥＰＲＯＭに格納するポインタ更新手段とを有することを特徴とするキーシステム専用のデジタル多機能コードレス電話機。
【発明の詳細な説明】
【０００１】
【発明の属する技術分野】
本発明は、キーシステム専用のデジタル多機能コードレス電話機に関し、特に最適な無線接続チャネルを自動的に学習及び選択することができるキーシステム専用のデジタル多機能コードレス電話機に関する。
【０００２】
【従来の技術】
従来のキーシステム専用のデジタル多機能コードレス電話機は無線接続を開始する際、予め上位装置より指定されている無線接続開始チャネルを使用している。使用した無線チャネルで電波干渉が生じた場合、無線制御プログラムで定義されている順番で無線チャネルを変更して利用可能なチャネルを探しだして無線接続を完了している。使用した無線チャネルで電波干渉が生じた場合、無線制御プログラムで定義されている順番で無線チャネルを変更して利用可能なチャネルを探しだして無線接続を完了している。
【０００３】
上述した従来のキーシステム専用のデジタル多機能コードレス電話機においては、予め上位装置より指定されている無線チャネルが、使用中であったり電波干渉により毎回使用不可の場合が考えられ、無線接続の度に使用可能チャネルを探る動作が働く可能性があるという問題があった。
【０００４】
また特許文献１記載の移動無線機は、着信制御チャネルの番号を受信レベルの大きい順に記憶するレベル順メモリと、過去にどの着信制御チャネルを使用したかを記憶する履歴メモリを備え、レベル順メモリに記憶した受信レベルの高い順の着信制御チャネルを選択して制御を行っていた。履歴メモリは個々の使用履歴を記憶するのみであり、レベル順メモリのデータを作成する際の受信レベル測定チャネルを選出する為に使用されていた。
【０００５】
【特許文献１】
特開平３−１１７２２９号公報
【０００６】
【発明が解決しようとする課題】
ところが、特許文献１記載の移動無線機においては着信制御チャネルの受信レベルを測定して記憶する特別な仕組みと、レベル順メモリと履歴メモリを二重に備える仕組みが必要となり、構成が複雑になってしまうという問題があった。
【０００７】
【課題を解決するための手段】
本発明のキーシステム専用のデジタル多機能コードレス電話機は、上位装置と、前記上位装置と内線接続された親機及び子機とを複数有するキーシステム専用のデジタル多機能コードレス電話機であって、前記親機及び子機はそれぞれ内部に無線接続開始チャネルの初期値と前記初期値に対する相対値であるポインタとを記憶するＥＥＰＲＯＭと、無線接続時に前記初期値及び前記ポインタを読み出す読み出し手段と、前記初期値及び前記ポインタを加算する加算手段と、前記加算手段により得られた値を無線チャネルとして無線出力を行う無線出力手段と、無線出力時に電波干渉を検出した際に前記ポインタを１加算して新たなポインタとして前記ＥＥＰＲＯＭに格納するポインタ更新手段とを有することを特徴とする。
【０００８】
【発明の実施の形態】
以下、本発明の実施形態について図面を参照して詳細に説明する。図１は、本発明の一実施形態のブロック図である。図１において、キーシステム上位装置１は、ＣＰＵ１１と、キーシステムの制御ソフトウェアが書き込まれたＲＯＭ１２と、各内線電話機と通信を行う通信回路１３とを搭載する。
【０００９】
内線（１）のコードレス電話機の親機２は、キーシステムの上位装置１と通信する為の通信回路２１と、ＣＰＵ２２と、コードレス電話機の親機制御ソフトウェアが書き込まれたＲＯＭ２３と、無線チャネルを記憶させるＥＥＰＲＯＭ２４と、内線（１）のコードレス電話機の子機３と無線接続する為の無線モジュール２５とを搭載する。
【００１０】
内線（１）のコードレス電話機の子機３は、内線（１）のコードレス電話機の親機２と無線接続する為の無線モジュール３１と、ＣＰＵ３２と、コードレス電話機の子機制御ソフトウェアが書き込まれたＲＯＭ３３と、無線チャネルを記憶させるＥＥＰＲＯＭ３４とを搭載する。
【００１１】
親機と子機で無線チャネルを記憶するメモリをＥＥＰＲＯＭにしたことにより、親機の電源切断または子機の電池切れによる無線チャネル保持値の消失を防止して、情報の不一致を防止することが可能となる。
【００１２】
内線（２）のコードレス電話機の親機４及び内線（３）のコードレス電話機の親機６は、内線（１）のコードレス電話機の親機２と同じ構成の機能を有する。内線（２）のコードレス電話機の子機５及び内線（３）のコードレス電話機の子機７は、内線（１）のコードレス電話機の子機３と同じ構成の機能を有する。
【００１３】
次に本実施形態の動作の説明を行う。図２は、本実施形態のコードレス電話機が無線接続を行う際の電波環境の例を示した図である。
【００１４】
電源投入時にキーシステムの上位装置１は、各内線のコードレス電話機の親機と子機に対して無線接続開始チャネルを指定する。キーシステムが使用する無線チャネルを０１ｃｈから３０ｃｈまでとして、無線接続開始チャネルを内線（１）は０１ｃｈ，内線（２）は１１ｃｈ，内線（３）は２１ｃｈに、無線チャネルの使用範囲を内線（１）は０１ｃｈ〜１０ｃｈ，内線（２）は１１ｃｈ〜２０ｃｈ，内線（３）は２１ｃｈ〜３０ｃｈに指定した例で説明する。
【００１５】
内線（１）のコードレス電話機の親機２と子機３で無線接続を行った場合、周囲に無線接続開始チャネルの０１ｃｈに電波干渉する無線機器または電子機器が無いため無線接続処理は無線チャネルを切り替えることなく完了する。
【００１６】
内線（２）のコードレス電話機の親機４と子機５で無線接続を行った場合、コードレス電話機の周囲に無線接続開始チャネル１１ｃｈに電波干渉する無線機器（または電子機器８）が固定で設置されている為、コードレス電話機の親機４と子機５が無線チャネルを１２ｃｈに切り替えてから無線接続処理を完了する。
【００１７】
内線（３）のコードレス電話機の親機６と子機７で無線接続を行った場合、コードレス電話機の周囲に無線接続開始チャネル２１ｃｈに電波干渉する無線機器９を携帯した人がいる為、コードレス電話機の親機６と子機７が無線チャネルを２２ｃｈに切り替えてから無線接続処理を完了する。
【００１８】
上記内線（１），（２），（３）の無線接続後、各コードレス電話機の親機と子機は図１に示したＥＥＰＲＯＭ２４及び３４に、無線接続した無線チャネル番号を記憶する。
【００１９】
各コードレス電話機の親機と子機は、次回の無線接続動作からＥＥＰＲＯＭに記録されている無線チャネル番号を無線接続開始チャネルとして使用する。内線（１）のコードレス電話機の場合、０１ｃｈを無線接続開始チャネルとして使用する。内線（２）のコードレス電話機の場合、１２ｃｈを無線接続開始チャネルとして使用する。内線（３）のコードレス電話機の場合、２２ｃｈを無線接続開始チャネルとして使用する。
【００２０】
図３は、コードレス親機のＥＥＰＲＯＭとコードレス子機のＥＥＰＲＯＭのメモリマップである。コードレス親機のＥＥＰＲＯＭアドレスＡは、キーシステムの上位装置から指定された無線接続開始チャネルの初期値を記憶するエリアである。コードレス親機のＥＥＰＲＯＭアドレスＢは、前回無線接続を行った際の無線接続開始チャネル初期値に対する相対値であるポインタを記憶するエリアである。コードレス子機のＥＥＰＲＯＭアドレスＣは、コードレス親機から送信された無線接続開始チャネルの初期値を記憶するエリアである。コードレス子機のＥＥＰＲＯＭアドレスＤは、前回無線接続を行った際の無線接続開始チャネル初期値に対する相対値であるポインタを記憶するエリアである。本実施例ではアドレスＡ及びＣは０１ｃｈ〜３０ｃｈ、アドレスＢ及びＤは００ｈ〜０９ｈの値をとるとする。
【００２１】
図４は、電源投入時に親機が行う初期設定処理を示すフローチャートである。キーシステムの上位装置より予め無線接続開始チャネルを受信して、ＥＥＰＲＯＭアドレスＡに記憶し、ＥＥＰＲＯＭアドレスＢを００ｈでクリアする。
【００２２】
図５は、電源投入時に子機が行う初期設定処理を示すフローチャートである。コードレス親機より予め無線接続開始チャネルを受信して、ＥＥＰＲＯＭアドレスＣに記憶し、ＥＥＰＲＯＭアドレスＤを００ｈでクリアする。
【００２３】
図６は、親機及び子機の無線接続開始チャネル選択と学習処理を示すフローチャートである。親機はＥＥＰＲＯＭアドレスＡから、子機はＥＥＰＲＯＭアドレスＣから、無線接続開始チャネルの初期値を読み出す。親機はＥＥＰＲＯＭアドレスＢから、子機はＥＥＰＲＯＭアドレスＤから、無線接続開始チャネルのポインタを読み出す。親機はＥＥＰＲＯＭアドレスＡとアドレスＢを、子機はＥＥＰＲＯＭアドレスＣとアドレスＤを加算して算出したチャネルで無線出力を開始する。無線出力を開始して無線モジュールが電波干渉を検出したら、ポインタを＋１加算して加算結果をＥＥＰＲＯＭアドレスＢ及びＤに記憶する。その後再度無線出力処理を行い、無線接続が可能なチャネルを検出して無線接続を実行する。
【００２４】
上記制御を行うことで、設置環境に有効な無線チャネルを学習して次回の無線接続処理を速やかに実行することができる。
【００２５】
本発明の他の実施形態として、基本的構成は第一の実施形態の通りであるが、前回の無線接続チャネルだけではなく、過去の無線接続チャネルを回数が多い順にカウントして記憶する処理に変更すれば、更に速やかな無線接続処理を行うことが可能となる。
【００２６】
【発明の効果】
以上のように本発明のキーシステム専用のデジタル多機能コードレス電話機によれば、無線接続を開始する際に前回無線接続に成功したチャネルをまず使用して接続を試みる為、接続の度に無線チャネルを切り替えることなく無線接続を完了する可能性が高くなるという効果がある。また、従来の技術と比して装置の構成を簡単にすることが出来るという効果がある。
【図面の簡単な説明】
【図１】本発明の実施形態を示すブロック図である。
【図２】種々の電波環境下における本発明の実施形態を示す図である。
【図３】コードレス親機及び子機のメモリマップを示す図である。
【図４】コードレス親機が電源投入時に行う初期設定処理を示すフローチャートである。
【図５】コードレス子機が電源投入時に行う初期設定処理を示すフローチャートである
【図６】コードレス親機・子機の無線接続開始チャネル選択及び学習処理を示すフローチャートである。
【符号の説明】
１  キーシステム上位装置
１１  ＣＰＵ
１２  ＲＯＭ
１３  通信回路
２，４，６  コードレス親機
３，５，７  コードレス子機
２１，３１  通信回路
２２，３２  ＣＰＵ
２３，３３  ＲＯＭ
２４，３４  ＥＥＰＲＯＭ
２５，３５  無線モジュール
【図１】
2005026900.tif 000003
【図２】
2005026900.tif 000004
【図３】
2005026900.tif 000005
【図４】
2005026900.tif 000006
【図５】
2005026900.tif 000007
【図６】
2005026900.tif 000008